(57)【要約】      （修正有）【課題】膜の透過流束を低下させるなどのＲＯ膜に対する悪影響のないＲＯ膜処理用スライムコントロール剤を提供する。【解決手段】下記一般式［Ｉ］で表されるハロシアノアセトアミド化合物と、テトラエチレングリコールとを含有するＲＯ膜処理用スライムコントロール剤。2015181983.tif 000011（式中、Ｘ１，Ｘ２は各々独立にハロゲン原子又は水素原子を表し、Ｘ１，Ｘ２のうち少なくとも一方はハロゲン原子である。Ｒ１は水素原子又は炭素数１〜３のアルキル基を表す。）【選択図】図３
2015181983.tif 000002
【特許請求の範囲】
【請求項１】
下記一般式［Ｉ］で表されるハロシアノアセトアミド化合物と、テトラエチレングリコールとを含有することを特徴とする逆浸透膜処理用スライムコントロール剤。
【化１】
2015181983.tif 000010
（式中、Ｘ１，Ｘ２は各々独立にハロゲン原子又は水素原子を表し、Ｘ１，Ｘ２のうち少なくとも一方はハロゲン原子である。Ｒ１は水素原子又は炭素数１〜３のアルキル基を表す。）
【請求項２】
請求項１において、ハロシアノアセトアミド化合物とテトラエチレングリコールとの合計に対して、ハロシアノアセトアミド化合物を１〜６０重量％含有することを特徴とする逆浸透膜処理用スライムコントロール剤。
【請求項３】
請求項１又は２に記載の逆浸透膜処理用スライムコントロール剤で処理してなる逆浸透膜。
【発明の詳細な説明】
【技術分野】
【０００１】
本発明は逆浸透膜（ＲＯ膜）処理用スライムコントロール剤と、このスライムコントロール剤で処理された逆浸透膜に関する。詳しくは、本発明は、ハロシアノアセトアミド化合物を有効成分とし、これを特定の有機溶媒で溶解させてなる溶液状のＲＯ膜処理用スライムコントロール剤と、このスライムコントロール剤で処理されたＲＯ膜に関する。
【背景技術】
【０００２】
従来、ＲＯ膜処理用スライムコントロール剤として、２，２−ジブロモ−３−ニトリロプロピオンアミド（ＤＢＮＰＡ）等のハロシアノアセトアミド化合物を有効成分とするものが知られている（例えば特許文献１）。
ハロシアノアセトアミド化合物は、ＲＯ膜の膜材質を侵すことがなく、スライムコントロール効果も高いが、ハロシアノアセトアミド化合物は水に対する溶解性が低いことから、高濃度の水溶液の形態で製剤化することができず、固形若しくは有機溶媒に溶解させて溶液とした形態で提供されている。しかし、固形品は、安定した溶解性が得られず、また、皮膚刺激性が高いといった問題がある。このため、一般的には、有機溶媒溶液としたものが使用されている。
【０００３】
ＲＯ膜処理用のスライムコントロール剤の有効成分を溶解させる溶媒には、ＲＯ膜を透過し難く、処理水（ＲＯ膜透過水）のＴＯＣを上昇させない、或いは上昇の程度が極く小さいこと、ＲＯ膜への通水において、膜を汚染せず、透過流束を低下させることがないことが要求される。
現在製品化されているハロシアノアセトアミド化合物を有効成分とするスライムコントロール剤で最も多く使用されている溶媒は、ジエチレングリコールモノメチルエーテル（ＤＥＧＭＥ）であるが、特許文献１には、ハロシアノアセトアミド化合物の溶媒として、特定の構造を有するアルコール又はグリコール系溶媒、具体的には、２−ブタノール、イソブタノール、ｔｅｒｔ−ブタノール、プロピレングリコール、ジプロピレングリコール、トリプロピレングリコール等を用いたものが提案されている。
【０００４】
特許文献１には、この特定の構造を有する溶媒が、ＲＯ膜透過性が低いと記載され、エチレングリコール系溶媒は比較例とされている（特許文献１の比較例３，５）。また、特許文献１に記載の発明で規定される特定の構造を持たない溶媒の場合、分子量２００以上であればＴＯＣ成分の膜透過率が低くなること、換言すれば、分子量２００未満ではＴＯＣの膜透過率が高いため、ＲＯ膜に用いるスライムコントロール剤の溶媒として適当でないことが記載されている（特許文献１  ００３４段落）。
【０００５】
また、特許文献２には、紙パルプ水系等に用いられるスライムコントロール剤として、ハロシアノアセトアミド化合物をポリエチレングリコールに溶解させたものが記載され、ポリエチレングリコールの具体例としてテトラエチレングリコールが記載されている。
【先行技術文献】
【特許文献】
【０００６】
【特許文献１】特開２００８−２７２６６７号公報
【特許文献２】特公昭５３−５３７５号公報
【発明の概要】
【発明が解決しようとする課題】
【０００７】
特許文献１に記載される特定の構造を有するプロピレングリコール系溶媒は、ＲＯ膜透過性の低いものであるが、若干の膜透過があり、よりＲＯ膜透過性の低い溶媒が望まれる。
なお、この特許文献１では、前述のように、エチレングリコール系溶媒は比較例とされ、分子量２００未満のエチレングリコール系溶媒は膜透過の問題があるため不適当とされている。従って、本発明で用いるテトラエチレングリコールは、特許文献１では否定されている。
【０００８】
一方、特許文献２には、ハロシアノアセトアミド化合物の溶媒としてテトラエチレングリコールの例示がなされているが、特許文献２は、ＲＯ膜処理用スライムコントロール剤を対象とするものではなく、また、数多くの例示溶媒中にテトラエチレングリコールが挙げられているにすぎず、テトラエチレングリコールのＲＯ膜透過性やＲＯ膜に対する影響については何ら検討がなされていない。
【０００９】
本発明は、ハロシアノアセトアミド化合物を有機溶媒に溶解させたＲＯ膜処理用スライムコントロール剤であって、ハロシアノアセトアミド化合物の溶解性、安定性が高い一方で、用いた溶媒のＲＯ膜透過性が低く、処理水質を悪化させることがなく、また、膜の透過流束を低下させるなどのＲＯ膜に対する悪影響のないＲＯ膜処理用スライムコントロール剤を提供することを課題とする。
【課題を解決するための手段】
【００１０】
本発明者は、上記課題を解決すべく鋭意検討を重ねた結果、テトラエチレングリコールが上記課題を解決し得ることを見出した。
【００１１】
本発明はこのような知見に基づいて達成されたものであり、以下を要旨とする。
【００１２】
［１］  下記一般式［Ｉ］で表されるハロシアノアセトアミド化合物と、テトラエチレングリコールとを含有することを特徴とする逆浸透膜処理用スライムコントロール剤。
【００１３】
【化１】
2015181983.tif 000003
（式中、Ｘ１，Ｘ２は各々独立にハロゲン原子又は水素原子を表し、Ｘ１，Ｘ２のうち少なくとも一方はハロゲン原子である。Ｒ１は水素原子又は炭素数１〜３のアルキル基を表す。）
【００１４】
［２］  ［１］において、ハロシアノアセトアミド化合物とテトラエチレングリコールとの合計に対して、ハロシアノアセトアミド化合物を１〜６０重量％含有することを特徴とする逆浸透膜処理用スライムコントロール剤。
【００１５】
［３］  ［１］又は［２］に記載の逆浸透膜処理用スライムコントロール剤で処理してなる逆浸透膜。
【発明の効果】
【００１６】
本発明のＲＯ膜処理用スライムコントロール剤は、ハロシアノアセトアミド化合物の溶媒としてテトラエチレングリコールを用いたものであり、
（１）  テトラエチレングリコールは、ハロシアノアセトアミド化合物の溶解性に優れるため、溶液安定性、製剤性に優れる。
（２）  テトラエチレングリコールは、ＲＯ膜透過性が低く、処理水の水質を低下させることが殆どない。
（３）  テトラエチレングリコールは、ＲＯ膜への付着性、汚染性が低く、膜の透過流束を低下させることが殆どない。
（４）  溶媒としてテトラエチレングリコールを用いたスライムコントロール剤は、その溶解性、安定性の高さから、スライムコントロール効果にも優れる。
といった点において非常に優れたＲＯ膜処理用スライムコントロール剤である。
【図面の簡単な説明】
【００１７】
【図１】実施例において、溶媒のＲＯ膜透過性の評価に用いた平膜試験装置を示す模式図である。
【図２】溶媒としてＤＥＧＭＥとＰＥＧ（３００）を用いたＤＢＮＰＡ製剤を添加した場合の膜透過流束の経時変化を示すグラフである。
【図３】溶媒としてＴＥＧとＰＧを用いたＤＢＮＰＡ製剤を添加した場合の膜透過流束の経時変化を示すグラフである。
【図４】溶媒としてＤＥＧＭＥとＴＥＧを用いたＤＢＮＰＡ製剤を添加した場合の膜透過流束の経時変化を示すグラフである。
【図５】実施例において、スライムコントロール効果の評価に用いたスライムモニタリング装置を示す系統図である。
【発明を実施するための形態】
【００１８】
以下に本発明の実施の形態を詳細に説明する。
本発明のＲＯ膜処理用スライムコントロール剤は、下記一般式［Ｉ］で表されるハロシアノアセトアミド化合物と、テトラエチレングリコールとを含有することを特徴とする。
【００１９】
【化２】
2015181983.tif 000004
【００２０】
（式中、Ｘ１，Ｘ２は各々独立にハロゲン原子又は水素原子を表し、Ｘ１，Ｘ２のうち少なくとも一方はハロゲン原子である。Ｒ１は水素原子又は炭素数１〜３のアルキル基を表す。）
【００２１】
上記のハロシアノアセトアミド化合物としては、例えば、２−ブロモ−３−ニトリロプロピオンアミド、２，２−ジブロモ−３−ニトリロプロピオンアミド（ＤＢＮＰＡ）、２−クロロ−２−ブロモ−３−ニトリロプロピオンアミド、２−クロロ−３−ニトリロプロピオンアミド、２，２−ジクロロ−３−ニトリロプロピオンアミド、Ｎ−メチル−２，２−ジブロモ−３−ニトリロプロピオンアミド、Ｎ−プロピル−２−クロロ−２−ブロモ−３−ニトリロプロピオンアミド等が挙げられる。これらは１種を単独で用いてもよく、２種以上を混合して用いてもよい。
【００２２】
本発明のＲＯ膜処理用スライムコントロール剤は、このようなハロシアノアセトアミド化合物をスライムコントロール剤の有効成分とし、これを溶媒であるテトラエチレングリコールに溶解させたものである。本発明のＲＯ膜処理用スライムコントロール剤中のハロシアノアセトアミド化合物の含有量は、多過ぎるとハロシアノアセトアミド化合物が析出し、保存安定性が損なわれるが、少な過ぎると有効成分濃度が低いことにより、使用量が徒に増加して好ましくない。テトラエチレングリコールはハロシアノアセトアミド化合物の溶解性に優れることから、ハロシアノアセトアミド化合物とテトラエチレングリコールとの合計に対して、一般的には、この割合は１〜６０重量％、特に１０〜５０重量％程度とすることが好ましい。
【００２３】
本発明のＲＯ膜処理用スライムコントロール剤は、その効果を損なうことのない範囲において、ハロシアノアセトアミド化合物とテトラエチレングリコール以外の他の成分を含有していても良い。含有し得る他の成分としては、公知のスケール防止剤、キレート剤、防食剤などが挙げられる。
【００２４】
本発明のＲＯ膜処理用スライムコントロール剤を製造する際には、テトラエチレングリコールとハロシアノアセトアミド化合物を必要に応じて配合されるその他の成分と共に撹拌混合すればよく、この際、テトラエチレングリコールはハロシアノアセトアミド化合物の溶解性に優れるため、加温等を行う必要はなく、６０分以下の比較的短い時間で、常温でハロシアノアセトアミド化合物を溶解させることができる。ただし、５０℃以下であれば加温することは何ら問題ではない。加温温度が５０℃を超えるとハロシアノアセトアミド化合物が分解するおそれがある。
【００２５】
このようにして調製された本発明のＲＯ膜処理用スライムコントロール剤は、常温で保存することができる。
【００２６】
本発明のＲＯ膜は、このような本発明のＲＯ膜処理用スライムコントロール剤で処理されたものであり、具体的には、ＲＯ膜処理用スライムコントロール剤を添加した水をＲＯ膜に通水させることにより処理することができる。この際のＲＯ膜供給水中の本発明のＲＯ膜処理用スライムコントロール剤の濃度は、目的のスライムコントロール効果が得られる濃度であればよく、特に制限はないが、ＲＯ膜供給水中のハロシアノアセトアミド化合物の濃度として０．１〜５０ｍｇ／Ｌ、特に０．５〜１００ｍｇ／Ｌ程度となるように添加することが好ましい。
【００２７】
なお、本発明のＲＯ膜処理用スライムコントロール剤で処理するＲＯ膜には特に制限はない。
ＲＯ膜は、膜を介する溶液間の浸透圧差以上の圧力を高濃度側にかけて、溶質を阻止し、溶媒を透過する液体分離膜である。ＲＯ膜の膜構造としては、非対称膜、複合膜などの高分子膜などを挙げることができる。ＲＯ膜の素材としては、例えば、芳香族系ポリアミド、脂肪族系ポリアミド、これらの複合材などのポリアミド系素材、酢酸セルロースなどのセルロース系素材などを挙げることができる。
また、ＲＯ膜のモジュール形式にも特に制限はなく、例えば、管状膜モジュール、平面膜モジュール、スパイラル膜モジュール、中空糸膜モジュールなどを挙げることができる。
【実施例】
【００２８】
以下に実施例及び比較例を挙げて本発明をより具体的に説明する。
【００２９】
以下の実施例及び比較例では、ハロシアノアセトアミド化合物としてＤＢＮＰＡ（２,２−ジブロモ−３−ニトリロプロピオンアミド）を用い、有溶媒としては、それぞれ以下のものを用いた。
実施例Ｉ：ＴＥＧ（テトラエチレングリコール）
ＨＯ-ＣＨ2ＣＨ2-Ｏ-ＣＨ2ＣＨ2-Ｏ-ＣＨ2ＣＨ2-Ｏ-ＣＨ2ＣＨ2-ＯＨ
分子量＝１９４
比較例Ｉ：ＤＥＧＭＥ（ジエチレングリコールモノメチルエーテル）
ＣＨ３−Ｏ−ＣＨ２ＣＨ２−Ｏ−ＣＨ２ＣＨ２−ＯＨ  分子量＝１２０．２
比較例II：ＰＥＧ（３００）（ポリエチレングリコール）
［−ＣＨ２ＣＨ２−Ｏ−］ｎ  分子量＝３００
比較例III：ＰＧ（プロピレングリコール）
ＨＯ−ＣＨ２−ＣＨ（ＯＨ）−ＣＨ３  分子量＝７６．１
【００３０】
（１）  溶解性の評価
市場で販売されているＤＢＮＰＡ／ＤＥＧＭＥ製剤のＤＢＮＰＡ含有量が３０重量％であることから、ＤＢＮＰＡ：溶媒＝３０：７０（重量％）におけるＤＢＮＰＡの溶解性の評価を行った。即ち、室温にて、各種溶媒７００ｇにＤＢＮＰＡ（粉末）を３００ｇ添加し、３００ｒｐｍで撹拌し、溶液の状態を目視で確認することにより下記基準で評価した。
◎：短時間で均一に溶解する。
○：比較的短時間で均一に溶解する。
×：常温では全量溶解することはできず、未溶解分が残留する。
結果を表−１に示す。
【００３１】
【表１】
2015181983.tif 000005
【００３２】
表−１より明らかなように、溶解速度はＤＥＧＭＥ＞＞ＰＧ≒ＴＥＧ＞ＰＥＧ（３００）の順であり、現行品であるＤＥＧＭＥが最も高い溶解性が見られた。ＰＧ，ＴＥＧは溶解するものの、ＤＥＧＭＥに比べて数倍の溶解時間が必要であった。
ＰＥＧ（３００）は溶解性は更に悪く、６０分程度ではＤＢＮＰＡは残留した。溶解速度を上げるためその溶液を５０℃付近まで加温したところ固形物の溶解は加速されたが、著しい変色が生じた。これはＤＢＮＰＡの分解が進んだことによるものと推察される。
ＰＧ，ＴＥＧの溶解速度は、ＤＥＧＭＥに比べて遅いものの、３０〜６０分程度の溶解時間は工業的生産性の面では大きな問題とはならないレベルであり、良好（○）と評価できる。
【００３３】
（２）  ＲＯ膜透過性の評価
図１に示す平膜試験装置を用いて、各種溶媒のＲＯ膜透過性を評価する試験を行った。
【００３４】
この平膜試験装置は、有底有蓋の円筒状容器１の高さ方向の中間位置に平膜セル２を設けて容器１内を原水室１Ａと透過水室１Ｂとに仕切り、この容器１をスターラー３上に設置し、ポンプ４で供給水を配管１１を介して原水室１Ａに給水すると共に、容器１内の攪拌子５を回転させて原水室１Ａ内を攪拌し、透過水を透過水室１Ｂより配管１２を介して取り出し、濃縮水を原水室１Ａより配管１３を介して取り出すものである。供給水の給水配管１１には圧力計６が設けられ、濃縮水の取り出し配管１３には開閉バルブ７が設けられている。
【００３５】
平膜セルのＲＯ膜としては、日東電工社製超低圧ＲＯ膜「ＥＳ２０」を用い、水回収率：８０％（目標値）、温度：２４℃±２℃、運転圧力：０．７５ＭＰａで運転した。
供給水としては、超純水にＮａＣｌを５００ｍｇ／Ｌ添加し、各種溶媒：ＤＢＮＰＡ＝７０：３０（重量％）の混合品よりなるＤＢＮＰＡ製剤を１００ｍｇ／Ｌ添加したものを撹拌下に通水した。なお、ＤＢＮＰＡ製剤としては、上記（１）の溶解性の評価で調製したサンプルを４０℃で１か月間静置保管し、析出、分離がないことを確認したものを用いた。前述の通り、溶媒としてＰＥＧ（３００）を使用したものは、溶解時に加温したため著しい変色が生じたものである。
【００３６】
通水２日目と４日目の供給水、透過水及び濃縮水のＴＯＣ濃度を分析し、ＴＯＣ除去率を下記式（１）で算出した。
【００３７】
【数１】
2015181983.tif 000006
【００３８】
また、２日目のＴＯＣ除去率と４日目のＴＯＣ除去率の平均値を求め、これらの結果を表２に示した。
なお、透過水及び濃縮水の導電率（ｍＳ／ｄ）から、下記式（２）で脱塩率を算出したところ、いずれの場合も、脱塩率は９６．２〜９７．７％の間で推移した。
脱塩率（％）＝（１−透過水の導電率／濃縮水の導電率）×１００    ・・・（２）
【００３９】
【表２】
2015181983.tif 000007
【００４０】
表−２より明らかなように、ＰＥＧ（３００）およびＴＥＧを配合したＤＢＮＰＡ製剤は、現行品であるＤＥＧＭＥ又は特許文献１に記載されるＰＧを使用したＤＢＮＰＡ製剤に比べ、ＴＯＣ除去率が高く、透過水の水質を大幅に改善することができた。
脱塩率はいずれの場合も９６．２〜９７．７％で推移していることから、透過水のＴＯＣは溶媒に起因するものと考えられ、ＴＥＧ、ＰＥＧ（３００）はＲＯ膜透過性が低いことが確認された。
【００４１】
（３）  ＲＯ膜の透過流束への影響の評価
上記（２）の試験装置を用い、同一条件にて１２０〜１４０時間の通水試験を実施し、透過流束の推移を測定した。結果を図２〜４に示す。
試験開始２４時間以降の透過流束の推移は、ＴＥＧ又はＰＧを使用したＤＢＮＰＡ製剤は、現行品であるＤＥＧＭＥを使用したＤＢＮＰＡ製剤と同等であり、膜への影響（付着性）は同程度であると判断される。
【００４２】
（４）  スライムコントロール効果の評価
＜Ｒｕｎ−１＞
図５に示すスライムモニタリング装置を用いて、カートリッジフィルターの差圧の上昇を測定することにより、スライムコントロール効果を評価した。
このモニタリング装置は、それぞれ、タンク２０Ａ，２０Ｂ，２０Ｃ，２０Ｄと、循環ポンプ２２Ａ，２２Ｂ，２２Ｃ，２２Ｄ、カートリッジフィルター２１Ａ，２１Ｂ，２１Ｃ，２１Ｄ、圧力計２３Ａ１，２３Ａ２，２３Ｂ１，２３Ｂ２，２３Ｃ１，２３Ｃ２，２３Ｄ１，２３Ｄ２、流量計２４Ａ２，２４Ｂ２，２４Ｃ２，２４Ｄ２、及び、バルブ２５Ａ１，２５Ａ２，２５Ｂ１，２５Ｂ２，２５Ｃ１，２５Ｃ２，２５Ｄ１，２５Ｄ２を備える循環ライン２６Ａ，２６Ｂ，２６Ｃ，２６Ｄで構成される４個のモニタリング装置３０Ａ，３０Ｂ，３０Ｃ，３０Ｄに、集合給水配管３１と、流量計２４Ａ１，２４Ｂ１，２４Ｃ１，２４Ｄ１を備える枝配管３１Ａ，３１Ｂ，３１Ｃ，３１Ｄで試験水が給水され、また、枝配管３２Ａ，３２Ｂ，３２Ｃ，３２Ｄと集合排水配管３２で排水が行われるように構成されている。
【００４３】
各タンク２０Ａ，２０Ｂ，２０Ｃ，２０Ｄの保有水量は２０Ｌで、循環ポンプ２２Ａ，２２Ｂ，２２Ｃ，２２Ｄの稼動により、循環水量が５Ｌ／ｍｉｎとなるようにバルブ２５Ａ１，２５Ａ２，２５Ｂ１，２５Ｂ２，２５Ｃ１，２５Ｃ２，２５Ｄ１，２５Ｄ２の開度が調整される。
カートリッジフィルター２１Ａ，２１Ｂ，２１Ｃ，２１Ｄとしては、ＡＤＶＡＮＴＥＣ社製１μｍカートリッジフィルター「ＭＣＰ−１−Ｃ１０１Ｓ」を用い、試験水としては、活性炭塔に通水させたルネサス山形セミコンダクタ鶴岡工場ＲＯ膜原水（工業用水１５０Ａ）に、グルコース：１０ｍｇ／Ｌ、酵母エキス：５ｍｇ／Ｌ、Ｈ２ＰＯ４：０．２ｍｇ／Ｌとなるよう添加したものを用い、各モニタリング装置３０Ａ，３０Ｂ，３０Ｃ，３０Ｄのタンク２０Ａ，２０Ｂ，２０Ｃ，２０Ｄに、各々、スライムコントロール剤を添加した。
【００４４】
各モニタリング装置３０Ａ，３０Ｂ，３０Ｃ，３０Ｄ内の試験水は、１回／２日の頻度で１０Ｌずつ入れ替え、入れ替える毎に入れ替え分に相当する試験水に対してスライムコントロール剤を補充して、スライムコントロール剤濃度を一定とした。
このようにして１４日間循環通水試験を行い、試験開始時（通水２日後）と終了時（通水４日後）の循環水流量を流量計２４Ａ２，２４Ｂ２，２４Ｃ２，２４Ｄ２で調べた。また、カートリッジフィルターの差圧（入口圧力と出口圧力との差）を圧力計２３Ａ１，２３Ａ２，２３Ｂ１，２３Ｂ２，２３Ｃ１，２３Ｃ２，２３Ｄ１，２３Ｄ２の測定値から求め、１４日間の通水による差圧上昇量（試験終了時の差圧−試験開始時の差圧）を算出し、これらの結果を表−３に示した。
【００４５】
なお、モニタリング装置３０Ａではスライムコントロール剤を添加せず（ＢＬＡＮＫ）、その他のモニタリング装置３０Ｂ，３０Ｃ，３０Ｄでは、以下のスライムコントロール剤を以下の添加濃度で添加した。
モニタリング装置３０Ｂ（実施例Ｉ−４）：（１）の溶解性の評価を行った後のＤＢＮＰＡ：ＴＥＧ＝３０：７０（重量％）のＤＢＮＰＡ／ＴＥＧ製剤。添加濃度は、ＤＢＮＰＡ／ＴＥＧ製剤として（ＤＢＮＰＡ純分ではなく）、１０ｍｇ／Ｌ
モニタリング装置３０Ｃ（比較例IV）：結合塩素系スライムコントロール剤栗田工業（株）製「クリバーターＩＫ−１１０」、添加濃度は１０ｍｇ／Ｌ（標準使用濃度）
モニタリング装置３０Ｄ（比較例Ｖ）：イソチアゾリン系スライムコントロール剤５−クロロ−２−メチル−４−イソチアゾリン−３−オン、添加濃度は３ｍｇ／Ｌ（標準使用濃度）
【００４６】
＜Ｒｕｎ−２＞
上記の実施例Ｉ−４で用いたものと同様のＤＢＮＰＡ／ＴＥＧ製剤を用い、ＤＢＮＰＡ／ＴＥＧ製剤（ＤＢＮＰＡ純分ではなく）としての添加量を以下の通りとしたこと以外は、＜Ｒｕｎ−１＞と同様に試験を行った。なお、モニタリング装置３０Ａはスライムコントロール剤無添加（ＢＬＡＮＫ）とした。結果を表−３に示す。
モニタリング装置３０Ｂ（実施例Ｉ−４ａ）：３０ｍｇ／Ｌ
モニタリング装置３０Ｃ（実施例Ｉ−４ｂ）：１０ｍｇ／Ｌ
モニタリング装置３０Ｄ（実施例Ｉ−４ｃ）：５ｍｇ／Ｌ
【００４７】
【表３】
2015181983.tif 000008
【００４８】
表−３の結果から次のことが分かる。
ＢＬＡＮＫに比べＤＢＮＰＡ／ＴＥＧ製剤を添加することにより、差圧の上昇傾向を低減させることができた。また、ＤＢＮＰＡ／ＴＥＧ製剤では、ＤＢＮＰＡ純分の添加量ではなく、製剤としての添加量で、既存商品「クリバーターＥＣ−５０３」や「クリバーターＩＫ−１０１」の標準使用濃度の場合とほぼ同等の性能が得られた。
なお、この試験は、ＲＯ膜を用いたものではないが、一般的にＲＯ膜の保安フィルターとして用いられるカートリッジフィルターによる試験であるため、ＲＯ膜における試験と同様の傾向を把握することができると考えられる。
【００４９】
（５）  総合評価
各種溶媒を用いたＤＢＮＰＡ製剤における前記（１）〜（４）の評価結果から、以下の表−４に総合評価を示す。
【００５０】
【表４】
2015181983.tif 000009
【００５１】
以上の評価より、溶媒としてＴＥＧを用いた本発明のＲＯ膜処理用スライムコントロール剤が、現行使用されているＤＥＧＭＥを溶媒としたＤＢＮＰＡ製剤や特許文献１に記載のＰＧを溶媒としたものに比べて、総合的に優れたものであることが分かる。
【符号の説明】
【００５２】
１  容器
１Ａ  原水室
１Ｂ  透過水室
２  平膜セル
３  スターラー
２０Ａ，２０Ｂ，２０Ｃ，２０Ｄ  タンク
２１Ａ，２１Ｂ，２１Ｃ，２１Ｄ  カートリッジフィルター
２２Ａ，２２Ｂ，２２Ｃ，２２Ｄ  循環ポンプ
２６Ａ，２６Ｂ，２６Ｃ，２６Ｄ  循環ライン
３０Ａ，３０Ｂ，３０Ｃ，３０Ｄ  モニタリング装置
【図１】
2015181983.tif 000012
【図２】
2015181983.tif 000013
【図３】
2015181983.tif 000014
【図４】
2015181983.tif 000015
【図５】
2015181983.tif 000016